(57)【要約】【課題】印刷画像の一部領域と、その周辺領域に光沢差が視認されてなる偽造防止印刷方法を提供する。【解決手段】情報パターンを形成した第１印刷画像の面と、該情報パターンを転写させるインキが未乾燥の第２印刷画像の面を重ね合わせた状態で該第２印刷画像を乾燥させることにより、該第２印刷画像の中の該第１印刷画像と重ね合った領域とその周辺領域に光沢差を発現させることを特徴とする偽造防止印刷方法。【選択図】図１
2011194632.tif 000002
【特許請求の範囲】
【請求項１】
情報パターンを形成した第１印刷画像の面と、該情報パターンを転写させるインキが未乾燥の第２印刷画像の面を重ね合わせた状態で該第２印刷画像を乾燥させることにより、該第２印刷画像の中の該第１印刷画像と重ね合った領域とその周辺領域に光沢差を発現させることを特徴とする偽造防止印刷方法。
【請求項２】
請求項１記載の偽造防止印刷方法で印刷したことを特徴とする、偽造防止印刷物。
【発明の詳細な説明】
【技術分野】
【０００１】
本発明は、真偽判別が可能な印刷物を作成する方法に関するものである。さらには、偽造防止効果を高めると共に、偽造物に対する真偽の判別が容易な印刷物に関するものである。
【背景技術】
【０００２】
各種証券、チケットなどの貴重品は、その価値を維持、保証するために、さまざまな偽造防止技術が施されている。例えば、真偽を識別する方法として視覚によって判別する方法や、機械的に判別する方法などが提案されている。その中でも、視覚による方法は特殊な装置を必要とせず、光沢差や色相差など直ちに真偽が判別できる利点がある。
【０００３】
例えば、色相の同じ光沢インキと無光沢インキを用い、それぞれを重ねてオフセット印刷を行うことにより、その印刷物の光沢インキ皮膜表面と無光沢インキ皮膜表面の反射光の差から潜像を確認できる印刷物が提案されている（特許文献１参照）。
【０００４】
例えば、基材に作成された粗さの異なった二つ以上の下地にインキを重ね刷りすることで、背景領域と情報パターンとに光沢差や色彩の変化が確認できる印刷物が提案されている（特許文献２参照）。
【０００５】
しかしながら、特許文献１の印刷物は、光沢インキには濡れのよい微細な有機顔料、無光沢インキには濡れが悪く粒子径の大きい無機顔料を配合するなど、潜像を作成するために高コストな専用インキを作成、使用する必要があった。
【０００６】
特許文献２の印刷物は、専用のインキを作成、使用する必要はないものの、樹脂や着色インキ、金属光沢インキなどトラッピングの劣るインキを重ね刷りすることとなるため、先刷りの樹脂や着色インキを十分に乾燥させてから金属光沢インキを後刷りする必要がある。従って、油性インキを使用する場合には、先刷りインキの乾燥時間が必要となり作業性が劣る欠点があった。また、乾燥時間対策としてＵＶインキを使用する方法もあるが、油性インキと比べ高コストであるうえ、ＵＶインキ乾燥装置などの専用設備を印刷機に設置する必要があった。
【先行技術文献】
【特許文献】
【０００７】
【特許文献１】特許第３１２２７５５号公報
【特許文献２】特開２００６−１９２７０１号公報
【発明の概要】
【発明が解決しようとする課題】
【０００８】
本発明の目的は上記の問題を解決することにあり、ＵＶインキ乾燥装置などの専用設備が不要で低コストな油性インキを使用した印刷画像において、情報パターンを形成する領域とその周辺領域のインキ乾燥性を調整し、双方領域の乾燥後インキ表面の状態を異ならせることで光沢差を視認できるようにする、偽造防止印刷方法を提供するものである。
【課題を解決するための手段】
【０００９】
本発明者は上記に鑑み鋭意検討した結果、本発明の偽造防止印刷方法を発明するに至った。
【００１０】
すなわち、情報パターンを形成した第１印刷画像の面と、該情報パターンを転写させるインキが未乾燥の第２印刷画像の面を重ね合わせた状態で該第２印刷画像を乾燥させることにより、該第２印刷画像の中の該第１印刷画像と重ね合った領域とその周辺領域に光沢差を発現させることを特徴とする偽造防止印刷方法である。
【００１１】
本発明において、上記偽造防止印刷方法で印刷したことを特徴とする偽造防止印刷物である。
【発明の効果】
【００１２】
情報パターンを形成する領域とその周辺領域のインキ乾燥性を調整し、双方領域の乾燥後インキ表面の状態を異ならせた偽造防止印刷方法により、ＵＶインキ乾燥装置などの専用設備が不要で、従来技術よりも低コストな偽造防止印刷物が作成可能となった。
【図面の簡単な説明】
【００１３】
【図１】本発明の光沢差が現れた第２印刷画像を示す断面図。
【図２】本発明の光沢差が現れた第２印刷画像を示す平面図で、印刷用紙のくわえ側を基準に第１印刷画像の面と第２印刷画像の面を展開した態様を示す図。
【図３】印刷用紙の走行性を示す説明図。
【図４】印刷用紙へインキが転移する態様を示す説明図。
【図５】スプリットパターンが生じたインキ表面の態様を示す説明図。
【図６】スプリットパターンが消失したインキ表面の態様を示す説明図。
【図７】印刷用紙のくわえ側を基準に第１印刷画像の面と第２印刷画像の面を展開した態様を示す平面図。
【図８】第１印刷画像の面と第２印刷画像の面を重ね合わせた状態で第２印刷画像のインキが乾燥している態様を示す断面図。
【発明を実施するための形態】
【００１４】
以下、光沢差が視認できる真偽判別が可能な印刷物を作成する方法について、オフセット印刷やインキ乾燥の流れと共に、図面を用いて詳細に説明する。
【００１５】
図３は、オフセット輪転印刷機における印刷用紙の走行性を示す説明図である。オフセット印刷は、版胴５に供給されたインキ８がブランケット胴６に転移され、ブランケット胴６と圧胴７の間を通過する印刷用紙１にブランケット胴のインキが転移することで印刷画像が印刷される。
【００１６】
ブランケット胴から印刷用紙にインキが転移する際には、図４の印刷用紙へインキが転移する態様を示す説明図のように、ブランケット胴６に残留するインキ側と印刷用紙１に転移するインキ側にインキ８が裂開するため、インキが糸を引く状態であるインキスプリット９が発生する。
【００１７】
このインキスプリットは、図５のスプリットパターンが生じたインキ表面の態様を示す説明図のように、印刷直後の未乾燥のインキ表面に裂開の跡である微細な凹凸、スプリットパターン１０を生じさせる。スプリットパターンは、図６のスプリットパターンが消失したインキ表面の態様を示す説明図の平滑化したインキ表面１３のように、印刷用紙へインキが転移した直後からインキが固化、乾燥するまでに消失していくが、消失のレベルはインキの乾燥性に影響される。
【００１８】
酸化重合タイプの油性インキでより詳細に説明すると、印刷用紙へ転移したインキは図５のインキの浸透１１のようにインキ中のビヒクルなどが印刷用紙１に浸透すると共に、ビヒクル分子が空気中の酸素を吸収し酸化重合反応を起こしつつインキの重合ガス１２が発生されて、次第にビヒクルの流動性が失われていくことでインキが乾燥、固化するのだが、乾燥、固化が遅いインキの場合はインキの流動性を保持する時間が長くできることから、乾燥の早いインキと比較してスプリットパターンがレベリングし、消失し易くなる。
【００１９】
また、インキが乾燥、固化した後のスプリットパターンの消失レベルは、インキの光沢値に影響する。例えば、乾燥後のインキ表面にスプリットパターンが多く残っている場合は、インキ表面で乱反射光が多くなることから光沢値は低くなる。一方、乾燥後のインキ表面がレベリングしスプリットパターンが消失している場合は、インキ表面で乱反射光が少なくなることから光沢値は高くなる。すなわち、情報パターンの領域とその周辺領域にスプリットパターンの消失レベルの差異をもたらすように印刷すれば、光沢差が視認できる真偽判別が可能な印刷物が得られる。従って、本発明の偽造防止印刷方法においては、第１印刷画像と第２印刷画像が重ね合わさるように第２印刷画像の位置を調整することは勿論、スプリットパターンの消失レベルの差異をもたらすよう、乾性油（植物油）成分が多く酸化重合反応を起こし易いインキを用いたり、印刷速度を速めるなどして第１印刷画像と第２印刷画像が重ね合わさる時間を短くするなどの調整が必要である。
【００２０】
具体的に本発明の印刷方法を説明する。図７の印刷用紙のくわえ側を基準に第１印刷画像の面と第２印刷画像の面を展開した態様を示す平面図のように、情報パターンを形成した第１印刷画像２の面に、その情報パターンを転写させるインキが未乾燥の第２印刷画像３の面を印刷用紙のくわえ側Ａを基準にして重ね合わせる。
【００２１】
その重ね合わされた形態を示すのが、図８の第１印刷画像の面と第２印刷画像の面を重ね合わせた状態で第２印刷画像のインキが乾燥している態様を示す断面図である。インキが未乾燥の第２印刷画像３は、本来は前述のインキ乾燥の流れのようにインキが乾燥、固化するのだが、第２印刷画像３の中の第１印刷画像２と重なり合った領域は、第１印刷画像２の被覆作用によりビヒクル分子の酸素の吸収や重合ガスの発生が妨げられ、インキの乾燥が遅れた領域１４のように周辺領域と比較してインキ乾燥が遅れるため、スプリットパターンをより消失させることができる。
【００２２】
この状態で第２印刷画像３のインキを固化、乾燥させることにより、図１及び図２に示す本発明の光沢差が現れた第２印刷画像４のような、光沢差が視認できる真偽判別が可能な印刷物が得られる。なお、本発明の中で説明される情報パターンを形成した第１印刷画像とは、予めインキが固化、乾燥した印刷画像のことを指すが、固化、乾燥前のインキや印刷用紙に貼り付けたフィルムなど、被覆作用が認められるものであれば他の材料を用いてもよい。
【実施例】
【００２３】
以下、実施例によって本発明をさらに詳しく説明するが、本発明はこの実施例に限定されるものではない。
【００２４】
以下の条件で、偽造防止印刷物を得る条件を定めた。
（印刷機）
ＤＡＩＹＡ  ３Ｈ−４（三菱重工株式会社製）
（印刷速度）
８０００ｓ／ｈ
（印刷用紙）
スーパーマットアートＡ  １２７．９ｇ／ｍ２（三菱製紙株式会社製）
（印刷用インキ）
ナチュラリス１００  Ｎタイプ  墨、藍、紅、黄（ＤＩＣ株式会社製）
（印刷濃度）
墨１．５０、藍１．３５、紅１．３５、黄１．００
（印刷画像）
第１印刷画像は、大きさが５ｍｍ、線の太さが０．２５ｍｍ、０．５ｍｍ、１ｍｍの文字で、予めインキが固化、乾燥した印刷画像である。第２印刷画像は、長辺１５ｍｍ、短辺７ｍｍの長方形（図２）で、インキが未乾燥の印刷画像である。
（光沢値測定用印刷画像）
第１印刷画像は、一辺が２０ｍｍの正方形で、予めインキが固化、乾燥した印刷画像である。第２印刷画像は、長辺４５ｍｍ、短辺２５ｍｍの長方形（図示なし）で、インキが未乾燥の印刷画像である。
【００２５】
偽造防止印刷物を得るための印刷画像の構成を、以下の通りとした。
（実施例１）
第１印刷画像の網点面積率が墨７５％、藍７５％、紅７５％、黄７５％、第２印刷画像の網点面積率が墨１００％、藍７５％、紅７５％、黄７５％の４色印刷。また、上記インキと印刷速度によれば、第２印刷画像のインキは未乾燥のうちに第１印刷画像と重ね合わされる。
【００２６】
（実施例２）
第１印刷画像の網点面積率が墨５０％、藍５０％、紅５０％、黄５０％、第２印刷画像の網点面積率が墨１００％、藍７５％、紅７５％、黄７５％の４色印刷である以外は、実施例１と同様である。
【００２７】
（実施例３）
第１印刷画像の網点面積率が紅１００％、黄１００％の２色印刷、第２印刷画像の網点面積率が墨１００％、藍７５％、紅７５％、黄７５％の４色印刷である以外は、実施例１と同様である。
【００２８】
（実施例４）
第１印刷画像の網点面積率が紅７５％、黄７５％の２色印刷、第２印刷画像の網点面積率が墨１００％、藍７５％、紅７５％、黄７５％の４色印刷である以外は、実施例１と同様である。
【００２９】
（実施例５）
第１印刷画像の網点面積率が紅５０％、黄５０％の２色印刷、第２印刷画像の網点面積率が墨１００％、藍７５％、紅７５％、黄７５％の４色印刷である以外は、実施例１と同様である。
【００３０】
（実施例６）
第１印刷画像の網点面積率が黄１００％の単色印刷、第２印刷画像の網点面積率が墨１００％、藍７５％、紅７５％、黄７５％の４色印刷である以外は、実施例１と同様である。
【００３１】
（実施例７）
第１印刷画像の網点面積率が黄７５％の単色印刷、第２印刷画像の網点面積率が墨１００％、藍７５％、紅７５％、黄７５％の４色印刷である以外は、実施例１と同様である。
【００３２】
（比較例）
第２印刷画像の網点面積率が墨１００％、藍７５％、紅７５％、黄７５％の、片面４色印刷。
【００３３】
（光沢差の視認性評価と光沢値測定結果）
実施例１〜７で得られた偽造防止印刷物について、目視評価により第２印刷画像の視認性を以下の４段階で評価した。◎は全ての太さ（０．２５ｍｍ、０．５ｍｍ、１ｍｍ）の文字が視認可能、○は太さが０．５ｍｍ、１ｍｍの文字が視認可能、△は太さが１ｍｍの文字のみ視認可能、×は全ての太さの文字が視認不可能である。
【００３４】
各実施例、各比較例で得られた光沢差の視認性評価結果と、光沢値測定結果を表１に示す。なお、光沢値は株式会社村上色彩技術研究所製精密光沢計（ＧＭ−２６ｐｒｏ／Ａｕｔｏ）を使用し、第２印刷画像（光沢値測定用印刷画像）を入射光６０°、反射光６０°で測定したものである。
【００３５】
【表１】
2011194632.tif 000003
【００３６】
表１より、各実施例は視認性が実用レベルであるが、特に実施例１、３は視認性評価が◎で良好であることがわかった。なお、実施例２、４、６、７は太さが０．２５ｍｍの文字のみ不鮮明であり視認性評価が○、実施例５は太さが０．２５ｍｍ、０．５ｍｍの文字が不鮮明であり視認性評価が△であった。
【００３７】
また、実施例１〜７の光沢値は、第２印刷画像の中の第１印刷画像と重ね合った領域以外の周辺領域や、４色片面印刷である比較例と比較して、３．７〜６．４％高くなった。一方、第１印刷画像のインキは固化、乾燥しているので、第１印刷画像については第２印刷画像と重ね合った領域とその周辺領域に光沢差は視認されなかった。
【符号の説明】
【００３８】
１  印刷用紙
２  第１印刷画像
３  第２印刷画像
４  光沢差が現れた第２印刷画像
５  版胴
６  ブランケット胴
７  圧胴
８  インキ
９  インキスプリット
１０  スプリットパターン
１１  インキの浸透
１２  インキの重合ガス
１３  平滑化したインキ表面
１４  インキの乾燥が遅れた領域
Ａ  印刷用紙のくわえ側
【図１】
2011194632.tif 000004
【図２】
2011194632.tif 000005
【図３】
2011194632.tif 000006
【図４】
2011194632.tif 000007
【図５】
2011194632.tif 000008
【図６】
2011194632.tif 000009
【図７】
2011194632.tif 000010
【図８】
2011194632.tif 000011